(57)【要約】ピントルによって接続されたリングを具備するオンマシン継ぎ合わせ可能な工業用ファブリックが開示される。１つの主要な実施形態において、リングは走行方向に配向され、ピントルは傾斜して延在し、リングを接続する。そのような構成は、ファブリックの強度を改良し、穿刺損傷に抵抗を提供する。別の主要な実施形態において、リングは紙幅方向に配向され、ピントルは走行方向に延在し、リングを結合する。
2006506541.tif 000002
【特許請求の範囲】
【請求項１】
走行方向に対して傾斜角で延在する複数の結合部材と、
前記走行方向に配向された複数の成形リングであって、各々が前記結合部材の少なくとも２つを取り囲む複数の成形リングと、
を具備する、オンマシン継ぎ合わせ可能な工業用ファブリック。
【請求項２】
走行方向に延在する複数の結合部材と、
紙幅方向に配向された複数の成形リングであって、各々が前記結合部材の少なくとも２つを取り囲む複数の成形リングと、
を具備する、オンマシン継ぎ合わせ可能な工業用ファブリック。
【請求項３】
紙幅方向に延在する複数の結合部材と、
走行方向に配向された複数の成形リングであって、各々が前記結合部材の少なくとも２つを取り囲む複数の成形リングと、
を具備し、
前記リングおよび前記結合部材は多孔性を有する、オンマシン継ぎ合わせ可能な工業用ファブリック。
【請求項４】
前記結合部材は、ピントル、ヤーンおよびワイヤからなる群から選択される、請求項１、２または３に記載のオンマシン継ぎ合わせ可能な工業用ファブリック。
【請求項５】
ラミネートを形成するために１つまたはそれ以上のファブリック層を具備する、請求項１、２または３に記載のオンマシン継ぎ合わせ可能な工業用ファブリック。
【請求項６】
前記ファブリックに接着されたステープルファイバ材料の少なくとも１つの層をさらに具備する、請求項１、２または３に記載のオンマシン継ぎ合わせ可能な工業用ファブリック。
【請求項７】
前記ファブリックは、ポリマーコーティングが塗布される、請求項１、２または３に記載のオンマシン継ぎ合わせ可能な工業用ファブリック。
【請求項８】
前記コーティングは、ポリウレタンおよびポリアミドからなる群から選択される、請求項７に記載のオンマシン継ぎ合わせ可能な工業用ファブリック。
【請求項９】
前記コーティングは、全幅コーティング、ディップコーティングおよびスプレーイングからなる群から選択された方法を使用して加えられる、請求項７に記載のオンマシン継ぎ合わせ可能な工業用ファブリック。
【請求項１０】
前記ファブリックは、ポリマー樹脂が含浸される、請求項１、２または３に記載のオンマシン継ぎ合わせ可能な工業用ファブリック。
【請求項１１】
前記樹脂は、ポリウレタンおよびポリアミドからなる群から選択される、請求項１０に記載のオンマシン継ぎ合わせ可能な工業用ファブリック。
【請求項１２】
それぞれのリングは、円形、長円形、傾斜、長楕円形、四面体およびＤ字形からなる群から選択された形状を有する、請求項１、２または３に記載のオンマシン継ぎ合わせ可能な工業用ファブリック。
【請求項１３】
それぞれのリングは、金属から作られる、請求項１、２または３に記載のオンマシン継ぎ合わせ可能な工業用ファブリック。
【請求項１４】
それぞれのリングは、ポリアミド、ポリエステル、ポリウレタンおよびポリケトン樹脂からなる群から選択されたポリマー樹脂材料から作られる、請求項１、２または３に記載のオンマシン継ぎ合わせ可能な工業用ファブリック。
【請求項１５】
それぞれのリングは、モノフィラメント、諸撚の／撚られたフィラメント、または、組まれたフィラメントからなる群から選択された型である、請求項１、２または３に記載のオンマシン継ぎ合わせ可能な工業用ファブリック。
【請求項１６】
それぞれのリングは、ポリマー樹脂材料が塗布される、請求項１、２または３に記載のオンマシン継ぎ合わせ可能な工業用ファブリック。
【請求項１７】
それぞれのリングは、２つの端の一方で開口し、スナップおよびクランプからなる群から選択されたクロージャによって閉鎖可能である、請求項１、２または３に記載のオンマシン継ぎ合わせ可能な工業用ファブリック。
【請求項１８】
前記リングは、第１の端と第２の端とを有し、前記端の少なくとも一方に開口を備え、前記結合部材がそれを通ることを可能にし１つのリングを次のリングに結合するようにする、請求項１、２または３に記載のオンマシン継ぎ合わせ可能な工業用ファブリック。
【請求項１９】
前記リングは、前記第１および第２の端に開口を有する、請求項１８に記載のオンマシン継ぎ合わせ可能な工業用ファブリック。
【請求項２０】
オンマシン継ぎ合わせ可能な工業用ファブリックを製造する方法であって、
複数のリングを提供するステップと、
前記リングから平らな布を形成するステップであって、前記布は走行方向および紙幅方向のヤーンを有するステップと、
を含み、
前記複数のリングは紙幅方向にあるかまたは実質的に紙幅方向にある、方法。
【請求項２１】
工業用ファブリックを製造するための方法であって、
複数のリングを提供するステップと、
前記リングに挿入されるべき複数のピントルを提供するステップと、
それぞれのピントルを隣接するリング内に挿入するステップと、
前記リングを前記ピントルに沿って所定の距離だけ前方へ割送りするステップと、
を含む、方法。
【請求項２２】
オンマシン継ぎ合わせ可能な工業用ファブリックを製造する方法であって、
複数のリングを提供するステップと、
前記リングから平らな布を形成するステップであって、前記布は走行方向および紙幅方向のヤーンを有するステップと、
を含み、
前記複数のリングは走行方向にあるかまたは実質的に走行方向にある、方法。
【請求項２３】
オンマシン継ぎ合わせ可能な工業用ファブリックを製造する方法であって、
複数のリングを提供するステップと、
前記リングから平らな布を形成するステップであって、前記布は走行方向および紙幅方向のヤーンを有するステップと、
を含み、
前記複数のリングは前記走行方向に対角線上にある、方法。
【発明の詳細な説明】
【技術分野】
【０００１】
本発明は、製紙および関連技術に関する。より具体的には、本発明は、オンマシン継ぎ合わせ可能な様々な工業用ファブリックであり、たとえば、抄紙機のプレスセクション用のオンマシン継ぎ合わせ可能なプレスファブリックである。
【背景技術】
【０００２】
製紙過程中に、繊維性スラリーすなわちセルロース繊維の水系分散を、抄紙機の形成セクションの可動形成ファブリックに置くことによって、セルロース繊維ウェブが形成される。大量の水が形成ファブリックを通ってスラリーから排出され、形成ファブリックの表面にセルロース繊維ウェブを残す。
【０００３】
新規に形成されたセルロース繊維ウェブは、形成セクションからプレスセクションへ進み、これは一連のプレスニップを含む。セルロース繊維ウェブは、プレスファブリックによって支持されるプレスニップを通って進むか、または、しばしばそうであるように、２つのそのようなプレスファブリックの間を進む。プレスニップにおいて、セルロース繊維ウェブは圧縮力を受け、圧縮力がウェブから水を搾り、ウェブ内のセルロース繊維を互いに接着しセルロース繊維ウェブを紙シートにする。水は、単数または複数のプレスファブリックによって受け入れられ、理想的には紙シートに戻らない。
【０００４】
紙シートは最終的にはドライヤーセクションへ進み、これは、少なくとも１つの一連の回転可能なドライヤードラムまたはシリンダを含み、これは蒸気によって内部的に加熱される。新規に形成された紙シートは、ドライヤーファブリックによって一連のドラムの各々のまわりに順次に曲がりくねった経路に方向づけられ、これは、紙シートをドラムの表面に対して近接して保持する。加熱されたドラムは、蒸発によって紙シートの含水量を所望のレベルへ減少する。
【０００５】
形成、プレスおよびドライヤーファブリックは、すべて抄紙機上でエンドレスループの形態を取り、コンベヤのやり方で機能することを認識するべきである。製紙は、かなりの速度で進行する連続過程であることをさらに認識するべきである。すなわち、繊維性スラリーは、形成セクションで形成ファブリック上に連続して置かれ、一方、新規に製造された紙シートは、ドライヤーセクションから出た後に、連続してロールに巻かれる。
【０００６】
さしあたり、プレスファブリックについて言及すると、プレスファブリックは以前エンドレス形態でのみ供給されたことを想起しなければならない。これは、新規に形成されたセルロース繊維ウェブが、単数または複数のプレスファブリックのいずれの不均一性によって、プレスニップにマーキングを非常に受けやすいからである。エンドレスウィービングとして公知の方法によって作られたもの等のエンドレスでシームレスのファブリックは、その長手方向（走行方向（ＭＤ））および横方向（紙幅方向（ＣＤ））の両方に均一な構造物を有する。抄紙機に設置中にプレスファブリックをエンドレス形態に閉じるために使用されてもよいシーム等のシームは、プレスファブリックの均一な構造物における不連続を表す。次いで、シームを使用することによって、セルロース繊維ウェブがプレスニップでマークをつけられる可能性を大幅に増大する。
【０００７】
この理由のため、いずれの実行可能なオンマシン継ぎ合わせ可能なプレスファブリックのシーム領域は、荷重下ですなわち単数または複数のニップの圧縮下で、プレスファブリックの残りと同様に、振る舞わなければならず、シーム領域によって製造されている紙製品の周期的なマーキングを防止するために、プレスファブリックの残りと同一の透過性を水および空気に対して有さなければならない。
【０００８】
これらの必要条件によって呈されたかなりの技術的な障害にもかかわらず、そのようなファブリックをプレスセクションに設置することができる比較的容易さおよび安全性のため、オンマシン継ぎ合わせ可能なプレスファブリックを開発することが、大いに望ましいままである。究極的に、これらの障害は、ファブリックの２つの端の横方向縁にシームループを提供することによって形成されたシームを有するプレスファブリックを開発することで克服された。シームループは、それ自体が、ファブリックの走行方向（ＭＤ）ヤーンによって形成される。シームは、プレスファブリックの２つの端を一緒にすることによって、ファブリックの２つの端でシームループを互いに噛み合わせることによって、且つ、いわゆるピンまたはピントルを、ファブリックの２つの端を一緒に係止するために互いに噛み合わされたシームループによって画成された通路を通って方向づけることによって、閉じられる。言うまでもなく、オンマシン継ぎ合わせ可能なプレスファブリックは、エンドレスプレスファブリックよりも、抄紙機に設置することがかなり容易であり、かかる時間もはるかに少ない。
【０００９】
抄紙機上でそのようなシームと結合することができるプレスファブリックを作る１つの方法は、ファブリックを平らに織ることである。この場合、縦糸ヤーンは、プレスファブリックの走行方向（ＭＤ）ヤーンである。シームループを形成するために、ファブリックの端の縦糸ヤーンは、逆戻りし、縦糸ヤーンに平行な方向にファブリック本体内に幾分かの距離を織り戻る。別の技術は、はるかに好ましいものであるが、エンドレスウィービングの修正された形態であり、これは、通常、ファブリックのエンドレスループを作るために使用される。修正されたエンドレスウィービングにおいて、横糸または緯糸ヤーンが、ループ形成ピンのまわりを通ることによって織られているファブリックの縁の１つにループを形成する各通路で、ルームを横切って前後に連続して織られる。横糸ヤーンまたは緯糸ヤーンは、プレスファブリックで究極的にＭＤヤーンになり、連続しているため、このようにして得られたシームループは、縦糸の端を平らに織られたファブリックの端内に織り戻すことによって作ることができるもののいずれよりも、強い。
【００１０】
ヤーンを曲げ戻して特に小さな直径にループ形成することは、結果としてループを形成するヤーン部分に望ましくない応力を生じることになることに注意すべきである。これは結果として、本体のヤーンの前で破損する可能性があるように、シームにおいてヤーンを弱化することになり、これは、望ましくない。
【００１１】
さらに別の技術において、抄紙機のプレスセクション用のオンマシン継ぎ合わせ可能な多軸プレスファブリックが、複数の連続回転にファブリックストリップを螺旋状に巻くことによって組み立てられた基部ファブリック層から作られ、その各々が、それに隣接するものに当接し接着される。結果として得られたエンドレス基部ファブリック層は、平らにされて、その横縁の折り目で互いに結合される第１および第２のファブリックプライを作る。横ヤーンが、横縁の折り目でファブリックストリップの各回転から除去され、シームループを作る。第１および第２のファブリックプライは、それを通ってステープルファイババット材料を縫うことによって互いにラミネートされる。プレスファブリックは、２つの横縁でシームループが互いに噛み合うことによって形成された通路を通ってピントルを方向づけることによって、抄紙機に設置中にエンドレス形態に結合される。
【００１２】
各々の場合に、螺旋状シームコイルが、ファブリックの各端で螺旋状シームコイルの個別の回転をシームループと互いに噛み合わせることによって、且つ、互いに噛み合わされたヤーンおよびシームループによって形成された通路を通ってピントルを方向づけて螺旋状シームコイルをファブリックの端へ結合することによって、ファブリックの端でシームループへ接着されてもよい。次いで、ファブリックは、ファブリックの各端でシームコイルの個別の回転を互いに噛み合わせることによって、且つ、互いに噛み合わされたシームコイルによって形成された通路を通って別のピントルを方向づけてファブリックの２つの端を互いへ結合することによって、エンドレスループの形態に結合されてもよい。
【００１３】
オンマシン継ぎ合わせ可能なプレスファブリックを製造する最終ステップは、ステープルファイバ材料の１つまたはそれ以上の層を少なくとも１つの外側表面に縫うことである。縫うことは、エンドレスループの形態に結合されたプレスファブリックで実行される。プレスファブリックのシーム領域は、縫う過程によってカバーされ、その領域は、ファブリックの残りのものにできるだけ近い透過性特性を有することを確実にする。縫う過程の最後に、ファブリックの２つの端を互いに結合するピントルは除去され、シーム領域のステープルファイバ材料は切断されてその領域をカバーするフラップを作る。次いで、プレスファブリックは、今や開口端形態であり、木箱に詰められ、製紙顧客へ輸送される。
【００１４】
縫う過程の間に、プレスファブリックは、必然的にいくつかの損傷を被る。これは、有刺針が、ステープルファイバ材料の個別のファイバをプレスファブリックの中に入れ且つこれを通らせるが、また、プレスファブリック自体のヤーンに遭遇し、これを壊すかまたは弱化するからである。また、プレスファブリックのシーム領域が縫われているときには、シームループを形成するＭＤヤーンの少なくともいくつかと、存在するのであれば螺旋状シームコイルとが、幾分弱化される。この種類の損傷は、必然的にシームを全体として弱化し、シーム破損を招く可能性がある。この点に関して、螺旋状シームコイルの場合には、ほんの少量の損傷が、早期のシーム破損を招くことがあることを完全に理解しなければならない。螺旋状シームコイルはシーム領域でファブリックを横切って横方向に延在するため、いずれの点での中断が、その長さのかなりの部分でシームを弱化し、これを開かせるかまたは壊す。
【００１５】
プレスファブリックに加えて、工業用ファブリックの多くの他の変形例は、機器に設置中にエンドレス形態に閉じられるように設計される。たとえば、製紙機のドライヤーファブリックは、ドライヤーセクションに設置中にエンドレスループの形態に結合されてもよい。ドライヤーファブリックは、ピンシームかまたは螺旋状シームかのいずれかとともにそのように結合されてもよく、シームは、上述のものに類似している。他の工業用ファブリック、たとえば、コルゲータベルト、パルプ形成ファブリックおよびスラッジ脱水ベルトは、類似のやり方で継ぎ合わされ、同一の理由でシーム破損を受けやすい。
【００１６】
さらに、螺旋状シームコイルは、限定された数の構成でのみ利用可能である。すなわち、限定された数の直径およびピッチ（１ユニット長さ当たりの回転の数）で得られるのみであってもよい。螺旋状シームコイルに対する代替が、工業用ファブリック設計者によって大いに評価されることは明らかである。
【００１７】
製紙機の「リンクベルト」ファブリックは、特許文献１に開示されており、紙幅方向に延在するヒンジワイヤと、走行方向に延在する複数のリングリンク要素と、を具備する。各リングリンク要素は、紙幅方向に開口し、少なくとも２つのヒンジワイヤを取り囲む。リングリンク要素は、中実でもよく、または連続的でもよく、または分かれていてもよく、後者を使用して、損傷したベルトを修理することが好ましい。この文献は、抄紙機ベルトを製造するための２つの方法の説明も含んでいる。
【００１８】
特許文献２には、紙幅方向に延在するピントルと、ピントルにスナップ止めされたリンクとを具備し、そのため、リンクが走行方向に延在する製紙機ファブリックが開示されている。様々に形状づけられたリンク要素が示される。各リンク要素はその端に、隣のヒンジワイヤを受け入れるために穴を有する。穴は、完全には閉じておらず、むしろ分かれており、拡張してヒンジワイヤのまわりにスナップ止めされることを可能にする。
【００１９】
特許文献１および特許文献２に開示されたリンクベルトは、紙幅方向ではなく、走行方向にのみ配向されたリングリンク要素を有する。さらに、ヒンジワイヤは、走行方向または対角線方向ではなく、紙幅方向に延在して示されるだけである。そのように限定された構成では、穿刺損傷に対するファブリック強度および抵抗は妥協される。
【特許文献１】ＰＣＴ／ＵＳ９８／０５９０８号
【特許文献２】米国特許第４，４６９，２２１号
【発明の開示】
【発明が解決しようとする課題】
【００２０】
本発明は、穿刺損傷に対する改良された強度および抵抗を有するオンマシン継ぎ合わせ可能なファブリックを提供することによって、先行技術のこのような欠点に対処する。
【課題を解決するための手段】
【００２１】
したがって、本発明は、成形リングから製造された工業用ファブリックである。リングは、いずれの形状であってもよく、円形、長円形、矩形、傾斜、長楕円形および四面体を含むがそれらに限定されず、走行方向ヤーン、ピントルまたはワイヤで接続されて平らなファブリックを形成し、その端は互いに結合されて連続したループを形成してもよい。あるいは、リングは紙幅方向に配向されてもよく、且つ、走行方向に配向されたヤーンによって接続されてもよい。さらなる実施形態において、リングは、再度、走行方向に配向されており、走行方向に対して傾斜角ですなわち対角線上に走行するヤーンによって接続される。
【００２２】
リングは、剛性材料から製造されてもよく、中実で同質の性質を有してもよい。あるいは、リングはフィラメントまたはコポリマーであってもよく、金属および／または非金属材料製であってもよく、可撓性があってもなくてもよい。それらは、中実であってもよく、または、一方の端で開口して、スナップによって閉鎖可能であってもよい。それらは、その表面に沿ってより平らな圧力分布を提供する成形キャップも有してもよい。それらはさらに、それらを互いに接続するために使用されるピントル用に各端で穴を有してもよい。空気または液体の透過性を減少するために、ランド部と開口区域との間の透過性の差を等しくするために、および、プレス内の変形からリングをサポートする補助をするために、他の材料がリング内に挿入されてもよい。
【００２３】
ファブリックを製造する数種類の方法もまた本願に説明されている。
【００２４】
本発明は、織られたファブリックを製造するために必要な資本集約的ウィービングルームを排除し、それは、製紙機ファブリックの本体を提供し、製品のシームに使用されるループを提供するために使用される螺旋に対して改良された強度を提供し、完成品を形成するために一緒に容易に継ぎ合わされてもよいストックを形成する能力を提供し、ファブリックの本体とシーム区域との間の根本的な差を排除することによって構造物全体の統一性を改良する。
【００２５】
本発明は、次に、下記に識別される図面を参照しながら、より完全に詳細に説明される。
【発明を実施するための最良の形態】
【００２６】
次に、具体的に図面に転じると、これは、ついでながら、縮尺通り引かれてはおらず、むしろ、本発明およびその構成要素を図で示すものであり、図１は、オンマシン継ぎ合わせ可能な工業用ファブリックの第１の実施形態の概略斜視図である。ファブリック１０は、ひとたびその２つの端が互いに結合されるとエンドレスループの形態を取る。
【００２７】
そのような実施形態において、工業用ファブリック１０は、複数の成形リング２から構成される。リング２は、走行方向に配向され、たとえば、走行方向に対して傾斜角で、すなわち、対角線上に走行するヤーン（または、ピントルまたはワイヤ）３によって接続される。
【００２８】
図２は、本発明の工業用ファブリック２０の代替の実施形態の概略斜視図である。この実施形態において、リング２は、紙幅方向に配向され、走行方向に延在するヤーン３によって接続される。
【００２９】
図１および２の両方は、リングの単一層として構造された工業用ファブリックを示す。しかし、そのような構造は、例として示されるだけであり、工業用ファブリックは、リングの２つ、３つまたはそれより多い数の層を有してもよく、または、ラミネートされて数ファブリック層を含んでもよい。後者の場合には、ファブリックはラミネートされて数ファブリック層を含んでおり、すべてを含む１つまたはそれ以上のファブリック層は、オンマシン継ぎ合わせ可能であってもよく、本発明にしたがってそのように作られてもよい。
【００３０】
上述のような工業用ファブリックは、さらなる「処理」なしで作ることができる。または、工業用ファブリックが、たとえば、プレスファブリックである場合には、一方の側または両側でステープルファイババット材料の１つまたはそれ以上の層で縫われてもよく、または、何らかのやり方で塗布されてもよい。
【００３１】
より具体的には、ステープルファイバは、ファブリックの本体を隠し、安定性を上げ、改良された圧力分布のためにより微細な表面を提供するために、工業用ファブリックのすべての部分内に縫われてもよい。ステープルファイバは、抄紙機ファブリックおよび他の工業プロセスファブリックの生産に使用されるいずれのポリマー樹脂であってもよいが、ポリアミドおよびポリエステル樹脂を含む群であることが好ましい。
【００３２】
述べたように、工業用ファブリックは、その２つの表面のいずれかまたは両方に、全幅コーティング、ディップコーティングおよびスプレーイング等の業界で公知の方法によって加えられる、ポリウレタンまたはポリアミド等のポリマー樹脂のコーティングを含んでもよい。
【００３３】
あるいは、工業用ファブリックは、抄紙機の他のセクションの１つに、すなわち、形成セクションまたは乾燥セクションに使用されてもよく、または、ポリマー樹脂が塗布された製紙工業プロセスベルト（ＰＩＰＢ）用の基部として、使用されてもよい。さらに、工業用ファブリックは、コルゲータベルトとしてまたはその基部として、たとえば二重ニップシックナーベルト等のパルプ形成ファブリックとして、または、スラッジ脱水ベルト等の他の工業プロセスベルトとして、使用されてもよい。
【００３４】
ヤーンを使用してリングを結合する場合には、各々が、抄紙機ファブリックかまたは他の工業プロセスファブリックに使用されるヤーン型のいずれであってもよい。換言すれば、モノフィラメントヤーンは、すなわち、諸撚モノフィラメントかまたは諸撚マルチフィラメントヤーンの形態で、単独に使用されるモノフィラメントストランドであるか、または、諸撚糸／撚り糸であり、これらのヤーンのいずれかとして使用されてもよい。
【００３５】
さらに、ヤーンを含むフィラメントは、ポリアミドおよびポリエステル等の合成ポリマー樹脂材料から押し出されてもよく、または、金属ワイヤであり、工業用テキスタイルファブリック業界および特に製紙クロージング業界でよく知られた技術にしたがって、ヤーンに組み込まれる。
【００３６】
ピントルを代わりに使用してリングを結合する場合には、各ピントルは、モノフィラメントの単一ストランドであってもよく、モノフィラメントの複数ストランドであってもよく、互いのまわりに撚られていないか、諸撚されたか、撚られたか、組まれたか、または一緒に編まれたモノフィラメントの複数ストランドであってもよく、または、抄紙機クロージングに使用される他のピントル型のいずれであってもよい。ピントルは、金属ワイヤであってもよく、または、合成ポリマー樹脂材料から押し出されてもよい。
【００３７】
図３に示されるように、リングは、数種類の形状のいずれの１つを有することができ、たとえば、円形、長円形（楕円）、傾斜、長楕円形、四面体、または、Ｄ字形である。リングが創り出される材料は、円形、長円形（楕円）、方形、矩形、または、他の断面形状であってもよく、０．１５ｍｍから１．０ｍｍの範囲の直径を有してもよい。
【００３８】
リングは、剛性材料から製造されてもよく、中実で同質の性質を有してもよい。リングは、金属であってもよく、または、工業用テキスタイルファブリック業界でヤーン用に使用されているポリマー樹脂材料にいずれから押し出されてもよい（たとえば、ポリアミド、ポリウレタン、ポリケトンまたはポリエステル）。リングは可撓性があってもなくてもよい。リングは、中実であってもよく、または、一方の端で開口していて、他方の端で、たとえばスナップインターロックまたはクランプによって、機械的に閉鎖されていてもよい。リングはさらに、たとえば、互いに接続するために使用される細長いピントルを受け取るために各端に穴を有してもよい。ついでながら、このようにリングを結合することによって、各端で旋回するのを可能にし、ファブリックに追加の可撓性および強度を提供する。
【００３９】
リングは、リングの一方の端または両端にリングの表面を横切ってより平坦な圧力差を提供する成形キャップ４を使用することもできる。キャップ４は、透過型でも非透過型でもありえる。リングは、モノフィラメントであっても、諸撚の／撚られたフィラメントであっても、または、組まれたフィラメントであってよい。これらのいずれは、さらなるポリマー樹脂材料が塗布されてもよい。
【００４０】
空隙容量は、所望により、リングによって形成されたファブリック構造物内に含まれる開口区域によって提供されてもよい。空気または液体の透過性を減少するために、ランド部と開口区域との間の透過性の差を等しくするために、および、プレス内の変形からリングをサポートする補助をするために、他の材料が開口区域に挿入されてもよい。さらに、リングおよびピントルは、それ自体が、たとえば、その中実部分を通る流入空隙を有する多孔性に作られてもよい。
【００４１】
工業用ファブリックを製造するための数種類の方法が提案されている。１つの方法において、織られた布が「プラットフォーム」として使用され、その上で、ファブリックの２方向の一方でヤーンのまわりに、リングがスナップ止めされるかまたは閉じられる。より具体的には、平らに織られた布が提供され、縦糸に小さなヤーンシステム、横糸に単一のモノフィラメントを有する。次いでこのファブリックは、割送りシステムに置かれ、リングがファブリックの２方向の一方でヤーンにスナップ止めされるのを可能にする。これらのステップは、所望の長さのファブリックが作られるまで繰り返される。
【００４２】
別の方法において、一定の長さのピントルがフレームへ挿入され、リングはピントルのまわりにスナップ止めされ、前方へ割送りされるが、これらのステップは、完全長ファブリックが得られるまで繰り返される。次いでこの完全長ファブリックは、端を一緒にしてリングを共通のピントルへスナップ止めすることによって結合される。
【００４３】
これらの方法のいずれかが、一定の量の「ストック」材料を作ってもよく、これは、次いで、マスターロールから所望の寸法へサイズづけられる。この過程は、自動化されてもよく、または、手動で行われてもよい。
【００４４】
上記への修正は当業者には明らかであるが、添付の特許請求の範囲を超えて本発明にそのような修正をもたらすものではない。
【図面の簡単な説明】
【００４５】
【図１】本発明の工業用ファブリックの第１の実施形態の概略斜視図である。
【図２】本発明の工業用ファブリックの第２の実施形態の概略斜視図である。
【図３】本発明の工業用ファブリックに含まれるリングの概略斜視図である。
【図１】
2006506541.tif 000003
【図２】
2006506541.tif 000004
【図３】
2006506541.tif 000005
【国際調査報告】
2006506541.tif 000006
2006506541.tif 000007
2006506541.tif 000008